(57)【特許請求の範囲】
【請求項１】
噴射物を収容する容器本体と、
上記容器本体の上部から上方へ突出するように設けられた操作部を有し、上記容器本体に収容された噴射物を上方へ噴射するノズル部が上記操作部よりも上方へ延びるように設けられたポンプとを備え、
使用者が上記ポンプの操作部を上に配置するとともに下方に押し動かして上記噴射物を上記ノズル部から噴射するように構成されたポンプ付き容器において、
上記操作部は、操作方向と交差する方向に突出する第１突出部と、該第１突出部とは反対方向に突出する第２突出部とを備え、上記第１突出部には、使用者の人差し指を置くための第１載置面が設けられ、上記第２突出部には、使用者の中指を置くための第２載置面が設けられ、
上記容器本体の周壁部は、下部の水平方向の断面積が最も小さく、上方へ向かって徐々に拡大して上下方向中央部近傍において最も断面積が大きくなり、上部に向かって断面積が徐々に小さくなるように形成され、
上記容器本体の下部には、使用者の手のひらにおける親指の中手骨に対応する部分を当てるための第１当接面が設けられ、
上記容器本体における上記第１当接面よりも上方には、親指を当てるための第２当接面と、薬指及び小指の少なくとも一方を当てるための第３当接面とがそれぞれ上記容器本体の外方へ膨らむように設けられ、
上記容器本体の水平方向について、上記第２当接面は、上記容器本体における上記第１当接面が形成された側に位置付けられ、上記第３当接面は、上記容器本体における上記ポンプを挟んで上記第２当接面とは反対側に位置付けられることを特徴とするポンプ付き容器。
【請求項２】
請求項１に記載のポンプ付き容器において、
上記ポンプの操作部における上記第１載置面及び上記第２載置面と、上記容器本体における上記第１当接面との離間寸法は、最も離れている部分同士で９５ｍｍ以下に設定されていることを特徴とするポンプ付き容器。
【請求項３】
請求項１または２に記載のポンプ付き容器において、
上記容器本体における上記第２当接面と上記第３当接面との離間寸法は、最も離れている部分同士で７０ｍｍ以下に設定されていることを特徴とするポンプ付き容器。
【請求項４】
請求項１から３のいずれか１つにおいて、
上記容器本体における厚みは、６０ｍｍ以下に設定されていることを特徴とするポンプ付き容器。
【発明の詳細な説明】
【技術分野】
【０００１】
本発明は、例えば液体を噴霧するためのポンプを備えたポンプ付き容器に関するものである。
【背景技術】
【０００２】
従来より、例えば鼻孔内に液体を噴射する際に、液体を噴霧するためのポンプを備えたポンプ付き容器が使用されることがある。この種のポンプ付き容器としては、例えば特許文献１に開示されているように、使用者が自らの手で持ちながらポンプを操作できるように構成されたものが知られている。
【０００３】
特許文献１の図１及び図２に開示されているポンプ付き容器は、上下方向に長い容器本体の上部にポンプが設けられており、容器本体の側部には、指係合用切欠状部が形成されている。そして、ポンプの操作用鍔部に人差し指と中指を掛け、かつ、親指を指係合用切欠状部に当てて容器を保持し、ポンプを操作する。
【０００４】
また、特許文献１の図３及び図４に開示されているポンプ付き容器の容器本体の側部には、指係合用凸状部が形成されている。そして、ポンプの操作用鍔部に人差し指と中指を掛け、かつ、親指を指係合用凸状部に当てて容器を保持し、ポンプを操作する。
【０００５】
また、特許文献１の図５及び図６に開示されているポンプ付き容器の容器本体には、指係合用孔部が容器本体を貫通するように形成されている。そして、ポンプの操作用鍔部に人差し指と中指を掛け、かつ、親指を指係合用孔部に挿入して容器を保持し、ポンプを操作する。
【０００６】
また、特許文献１の図７及び図８に開示されているポンプ付き容器の容器本体の底面は、略平坦に形成されている。そして、ポンプの操作用鍔部に人差し指と中指を掛け、かつ、親指を容器本体の底面に当てて容器を保持し、ポンプを操作する。
【先行技術文献】
【特許文献】
【０００７】
【特許文献１】特開２００８−６２９７４号公報
【発明の概要】
【発明が解決しようとする課題】
【０００８】
ところで、特許文献１に開示されているようなポンプ付き容器を使用する際には、ポンプの操作用鍔部を下方へ押し動かす必要があることから、操作用鍔部に掛けている人差し指及び中指と、容器本体に当てている親指とが接近する動きとなる。
【０００９】
このとき、特許文献１の図３及び図４に開示されているものや、図５及び図６に開示されているものでは、操作用鍔部を動かすときの力は容器本体の中心線上に作用するのに対して、親指はその中心線から外れた容器本体の側部に当てることになるので、操作用鍔部を動かす方向の力が親指で受ける際に偏荷重となる。このため、ポンプの操作の都度、容器が不安定な動きをする恐れがあり、使用者が使いづらく感じることがある。
【００１０】
また、特許文献１の図５及び図６に開示されているものでは、上述のようなポンプ操作時の偏荷重は避けられると考えられるが、容器本体の１箇所を親指だけで支えることになるので、ポンプ操作時の容器が不安定になる恐れがある。
【００１１】
また、特許文献１の図７及び図８に開示されているものでも、容器本体の１箇所を親指だけで支えることになるので、ポンプ操作時の容器が不安定になる恐れがある。
【００１２】
特に、鼻孔等の小さい部位を狙って液体を噴射する場合には、特許文献１に開示されている各容器のように不安定であると使用者が使い難いと感じる。
【００１３】
さらに、特許文献１のものは全て容器本体に親指だけを当てているので、ポンプを操作せずに持っているだけのときも安定しているとは言い難く、使用者によっては持ちにくい容器であると感じることが考えられる。
【００１４】
本発明は、かかる点に鑑みてなされたものであり、その目的とするところは、使用者が持ちやすく、かつ、操作し易いポンプ付き容器を提供することにある。
【課題を解決するための手段】
【００１５】
上記目的を達成するために、本発明では、ポンプの操作部を人差し指と中指とで操作し、容器本体を、手のひらにおける親指の中手骨に対応する部分と、親指と、薬指及び小指の少なくとも一方の指とを使用して握ることができるようにした。
【００１６】
第１の発明は、
噴射物を収容する容器本体と、
上記容器本体の上部から上方へ突出するように設けられた操作部を有し、上記容器本体に収容された噴射物を上方へ噴射するノズル部が上記操作部よりも上方へ延びるように設けられたポンプとを備え、
使用者が上記ポンプの操作部を上に配置するとともに下方に押し動かして上記噴射物を上記ノズル部から噴射するように構成されたポンプ付き容器において、
上記操作部は、操作方向と交差する方向に突出する第１突出部と、該第１突出部とは反対方向に突出する第２突出部とを備え、上記第１突出部には、使用者の人差し指を置くための第１載置面が設けられ、上記第２突出部には、使用者の中指を置くための第２載置面が設けられ、
上記容器本体の周壁部は、下部の水平方向の断面積が最も小さく、上方へ向かって徐々に拡大して上下方向中央部近傍において最も断面積が大きくなり、上部に向かって断面積が徐々に小さくなるように形成され、
上記容器本体の下部には、使用者の手のひらにおける親指の中手骨に対応する部分を当てるための第１当接面が設けられ、
上記容器本体における上記第１当接面よりも上方には、親指を当てるための第２当接面と、薬指及び小指の少なくとも一方を当てるための第３当接面とがそれぞれ上記容器本体の外方へ膨らむように設けられ、
上記容器本体の水平方向について、上記第２当接面は、上記容器本体における上記第１当接面が形成された側に位置付けられ、上記第３当接面は、上記容器本体における上記ポンプを挟んで上記第２当接面とは反対側に位置付けられることを特徴とする。
【００１７】
この構成によれば、容器本体の第１当接面に、手のひらにおける親指の中手骨に対応する部分を当て、第２当接面に親指を当て、第３当接面に薬指及び小指の少なくとも一方を当てることで、容器本体を少なくとも３箇所で握るようにして持つことが可能になるので握っている容器が安定する。そして、人差し指と中指をポンプの操作部の第１載置面及び第２載置面に載置した状態で下方に力を加えて押し動かすことで、容器本体の噴射物が噴射される。この操作部を押し動かすときの反力は、主に、容器本体の下部において第１当接面を介して、手のひらにおける親指の中手骨に対応する部分で受けることになる。手のひらにおける親指の中手骨に対応する部分で反力を受けることで反力をしっかりと受け止めることが可能になるので、ポンプの操作時においても容器本体は安定する。よって、ポンプを操作し易くなる。
【００１８】
第２の発明は、第１の発明において、
上記ポンプの操作部における上記第１載置面及び上記第２載置面と、上記容器本体における上記第１当接面との離間寸法は、最も離れている部分同士で９５ｍｍ以下に設定されていることを特徴とする。
【００１９】
この構成によれば、使用者が、手のひらにおける親指の中手骨に対応する部分と、親指と、薬指及び小指の少なくとも一方の指とを使用して容器本体を握るようにして持ち、かつ、人差し指を第１載置面に置き、中指を第２載置面に置いたとき、容器本体に当たっている手のひらにおける親指の中手骨に対応する部分と、人差し指及び中指との離間寸法が最も遠いところで、９５ｍｍ以下になる。この離間寸法が９５ｍｍを超えると、一般の成人男性及び女性が容器を手にしたとき、人差し指及び中指が手のひらから遠く離れたように感じてポンプの操作部を操作しづらくなるが、本発明のように９５ｍｍ以下とすることで、殆どの人が操作部を操作し易くなる。
【００２０】
第３の発明は、第１または２の発明において、
上記容器本体における上記第２当接面と上記第３当接面との離間寸法は、最も離れている部分同士で７０ｍｍ以下に設定されていることを特徴とする。
【００２１】
この構成によれば、使用者が、手のひらにおける親指の中手骨に対応する部分と、親指と、薬指及び小指の少なくとも一方の指とを使用して容器本体を握るようにして持ったとき、親指と、薬指及び小指の少なくとも一方の指との離間寸法が最も遠いところで、７０ｍｍ以下になる。この離間寸法が７０ｍｍを超えると、一般の成人男性及び女性が容器を手にしたとき、親指と、薬指及び小指の少なくとも一方の指とが遠く離れたように感じて容器を持ちづらくなるが、本発明のように７０ｍｍ以下とすることで、殆どの人が持ち易くなる。
【００２２】
第４の発明は、第１から３のいずれか１つの発明において、
上記容器本体における厚みは、６０ｍｍ以下に設定されていることを特徴とする。
【００２３】
この構成によれば、容器本体の厚みを６０ｍｍ以下に設定したことで、使用者が容器本体を握るようにして持ったとき、容器本体が殆どの人の手のひらの中に収まるようになるので、容器が持ち易くなる。
【発明の効果】
【００２４】
第１の発明によれば、容器を安定して持つことができ、ポンプの操作時には、人差し指と中指とで操作部を押し動かす際の反力を安定して受けることできる。これにより、容器を持ちやすくすることができるとともに、使用者によるポンプの操作を容易にすることができる。
【００２５】
第２の発明によれば、ポンプの操作部における第１載置面及び第２載置面と、第１当接面との離間寸法を９５ｍｍ以下に設定したので、ポンプの操作部をより一層操作し易くすることができる。
【００２６】
第３の発明によれば、容器本体における第２当接面と第３当接面との離間寸法を７０ｍｍ以下に設定したので、容器をより一層持ちやすくすることができる。
【００２７】
第４の発明によれば、容器本体の厚みを６０ｍｍ以下に設定したので、容器をより一層持ちやすくすることができる。
【図面の簡単な説明】
【００２８】
【図１】実施形態に係るポンプ付き容器を上方から見た斜視図である。
【図２】ポンプ付き容器の正面図である。
【図３】ポンプ付き容器の左側面図である。
【図４】ポンプ付き容器のキャップのみ図２のIV−IV線に相当する断面で示した側面図である。
【図５】キャップを取り外した状態の図１相当図である。
【図６】キャップを取り外した状態の図２相当図である。
【図７】キャップを取り外した状態の右側面図である。
【図８】キャップを取り外した状態のポンプ付き容器の平面図である。
【図９】ポンプ付き容器の使用状態を説明する正面図である。
【発明を実施するための形態】
【００２９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３０】
図１は、本発明の実施形態に係るポンプ付き容器１の斜視図である。ポンプ付き容器１は、噴射物を収容する容器本体１０と、容器本体１０に設けられたポンプ２０（図４等に示す）と、キャップ３０とを備えている。容器本体１０に収容される噴射物は、例えば鼻孔や口腔内に噴射する各種液体（例えば、生理的食塩水や薬液等）等を挙げることができるが、ポンプ付き容器１の用途はこれらに限られるものではなく、他の部位に液体を噴射する場合にも使用することができる。
【００３１】
図５から図７に示すように、ポンプ２０は、容器本体１０の上部から上方へ突出するように設けられている。図１から図３に示すように、キャップ３０は、ポンプ２０を使用しないときにポンプ２０を覆って保護するためのものである。
【００３２】
容器本体１０は、例えば樹脂材を成形してなるものであり、図２や、キャップ３０を外した状態の正面図である図６に示すように正面視では左右方向（幅方向）の寸法と上下方向の寸法とが同じ程度に設定されている。図３や、キャップ３０を外した状態の側面図である図７に示す側面視では奥行き方向（厚み方向）の寸法と上下方向の寸法とが同じ程度に設定されている。容器本体１０の奥行き方向の最大寸法は、６０ｍｍ以下、好ましくは５０ｍｍ以下に設定されている。
【００３３】
容器本体１０の底壁部１１は略水平方向に延びている。底壁部１１の形状は容器本体１０の左右方向に長い略楕円形状である。容器本体１０の周壁部１２は、底壁部１１の周縁部近傍の水平方向の断面積（外形状）が最も小さく、上方へ向かって断面積が徐々に拡大して上下方向中央部近傍において最も断面積が大きくなるように形成されている。そして、周壁部１２は、上下方向中央部近傍から上部に向かって断面積が徐々に小さくなるように形成されている。
【００３４】
図３等に示すように、容器本体１０の周壁部１２には、手前側と奥側とにそれぞれ凹面部１２ａが形成されている。凹面部１２ａは、左右方向に長い長円形に近い径状となっている。
【００３５】
図５から図７に示すように、容器本体１０の上壁部１３の外周側には、平坦面部１３ａが形成されている。平坦面部１３ａは、略水平であり、上壁部１３の周縁部に沿って環状に延びている。上壁部１３における平坦面部１３ａよりも内側は、平坦面部１３ａに比べて一段高くなっており、その段差となっている部位には、凹条部１３ｂが全周に亘って形成されている。凹条部１３ｂの開放部分は、容器本体１０の側方に向いており、後述するがキャップ３０の下端部が嵌合するようになっている。
【００３６】
容器本体１０の上壁部１３における凹条部１３ｂよりも内側は、上壁部１３の中央部に向かって徐々に高くなるように形成された傾斜面１３ｃで構成されている。また、上壁部１３における中央部には、図示しないが容器本体１０の内部に連通する筒状の雄ねじ部が上方へ突出するように設けられている。
【００３７】
図９に示すように、容器本体１０の下部には、使用者の手のひらにおける親指の中手骨に対応する部分を当てるための下側当接面（第１当接面）１０ａが設けられている。下側当接面１０ａは、容器本体１０の底壁部１１における右側部分と、これに連続する周壁部１２における右側下部（図７に二点鎖線で境界を示す）とで構成されている。容器本体１０の底壁部１１における右側部分と、周壁部１２における右側下部の境界部分には角があるので、この角が手のひらにおける親指の中手骨に対応する部分に食い込み、その結果、容器本体１０が手のひらから滑り落ちにくくなる。
【００３８】
また、図５から図７に示すように、容器本体１０における下側当接面１０ａよりも上方には、親指を当てるための親指当接面（第２当接面）１０ｂと、薬指及び小指を当てるための薬指及び小指当接面（第３当接面）１０ｃとが設けられている。尚、この実施形態では、薬指及び小指当接面１０ｃに薬指及び小指の両方を当接させるようにしているが、これに限らず、薬指及び小指の一方を当接させるようにしてもよい。つまり、薬指及び小指当接面１０ｃは、薬指及び小指の少なくとも一方を当接させることができる面であり、薬指及び小指の両方を当接させなければならないわけではない。
【００３９】
親指当接面１０ｂは、容器本体１０の水平方向について、容器本体１０の周壁部１２における下側当接面１０ａが形成された側、即ち、右側に位置付けられている。親指当接面１０ｂの概略形状を、図５、図６及び図７に二点鎖線で示すように、親指当接面１０ｂは、容器本体１０の周壁部１２の上下方向中央部近傍から上部にかけて形成されており、周壁部１２の前側までまわり込んでいる。親指当接面１０ｂは容器本体１０の外方へ湾曲面する湾曲面で構成されているので、親指の末梢部分を掛けやすくなっている。
【００４０】
薬指及び小指当接面１０ｃは、容器本体１０の周壁部１２におけるポンプ２０を挟んで親指当接面１０ｂとは反対側、即ち、左側に位置付けられる。薬指及び小指当接面１０ｃの概略形状を、図５及び図６に二点鎖線で示すように、薬指及び小指当接面１０ｃは、容器本体１０の周壁部１２の上部から上壁部１３にかけて形成されている。小指を容器本体１０の周壁部１２の上部にかけ、薬指を容器本体１０の上壁部にかけるようにすることが可能である。
【００４１】
親指当接面１０ｂと、薬指及び小指当接面１０ｃとの左右方向の離間寸法Ｗ（図６に示す）は、最も離れている部分同士で７０ｍｍ以下、好ましくは５５ｍｍに設定されている。寸法Ｗを７０ｍｍ以下に設定することで、ポンプ付き容器１の使用者が容器本体１０を手で握った際に、親指と、薬指及び小指との離間寸法が最も遠いところで、７０ｍｍ以下になる。この離間寸法が７０ｍｍを超えると、一般の成人男性及び女性がポンプ付き容器１を手にしたとき、親指と、薬指及び小指とが遠く離れたように感じてポンプ付き容器１を持ちづらくなるが、この実施形態のように７０ｍｍ以下とすることで、殆どの人が持ち易くなる。離間寸法Ｗを５５ｍｍ以下にすることでより一層持ち易くなる。
【００４２】
ポンプ２０は、ポンプ機構２１（図４にのみ示す）と、ポンプ機構２１を操作する操作部２２と、ノズル部２３と、固定部２４とを備えている。ポンプ機構２１は、例えば上記特許文献１等に開示されている従来周知の構造のものを用いることができるので、詳細な説明は省略する。ポンプ機構２１には、容器本体１０の内部を下方へ延びる吸入管２１ａが設けられている。吸入管２１ａは容器本体１０の内部の液体を吸入するためのものである。
【００４３】
操作部２２は、容器本体１０の上部から上方へ突出するように設けられており、ポンプ機構２１に連結され、上下方向に動くようになっている。平面視において、操作部２２の中心は容器本体１０の中心と一致している。ノズル部２３は、ポンプ機構２１の吐出部分に接続され、操作部２２よりも上方へ延び、上端部に吐出孔２３ａが形成されている。ノズル部２３は、上部へ行くほど細くなるように形成されている。
【００４４】
操作部２２とノズル部２３とは樹脂材によって一体成形されている。操作部２２は、操作方向である上下方向と交差する方向、即ち、左側へ突出する板状の左側突出部２２ａと、該左側突出部２２ａとは反対方向、即ち、右側へ突出する板状の右側突出部２２ｂとを備えている。左側突出部２２ａと右側突出部２２ｂとは、ノズル部２３を挟むように位置している。そして、図８に示すように、左側突出部２２ａの周縁部は円弧状に延び、また、右側突出部２２ｂの周縁部も円弧状に延びており、左側突出部２２ａの周縁部と右側突出部２２ｂの周縁部とは連続して平面視で左右方向に長い略長円形を形作っている。右側突出部２２ｂが本発明の第１突出部であり、左側突出部２２ａが本発明の第２突出部である。
【００４５】
右側突出部２２ｂの上面部は、図９に示すように使用者の人差し指を置くための人差し指用載置面（第１載置面）２２ｃとされている。この人差し指用載置面２２ｃは、略水平方向に延びており、人差し指の末梢部分を安定して置くことができるようになっている。左側突出部２２ａの上面部は、図９に示すように使用者の中指を置くための中指用載置面（第２載置面）２２ｄとされている。この中指用載置面２２ｄは、人差し指用載置面２２ｃと同様に略水平方向に延びており、中指の末梢部分を安定して置くことができるようになっている。
【００４６】
また、左側突出部２２ａにおけるノズル部２３との境界部分及び右側突出部２２ｂにおけるノズル部２３との境界部分は、曲面で構成されており、人差し指用載置面２２ｃに置いた人差し指及び中指用載置面２２ｄに置いた中指に自然に接触するようになっている。
【００４７】
固定部２４は、容器本体１０の雄ねじ部（図示せず）を囲む筒状に形成され、内周面には雄ねじ部に螺合する雌ねじ溝が形成されている。固定部２４を容器本体１０の雄ねじ部に螺合させて締め付けることによってポンプ機構２１、操作部２２及びノズル部２３が容器本体１０に対して固定される。
【００４８】
ポンプ２０の固定状態では、ポンプ２０の操作部２２における人差し指用載置面２２ｃ及び中指用載置面２２ｄと、容器本体１０における下側当接面１０ａとの離間寸法Ｈ（図６に示す）は、最も離れている部分同士で９５ｍｍ以下、好ましくは８５ｍｍに設定されている。
【００４９】
離間寸法Ｈを９５ｍｍ以下に設定することで、使用者が容器本体１０を握るようにして持ったとき、手のひらにおける親指の中手骨に対応する部分と、人差し指及び中指との離間寸法が最も遠いところで、９５ｍｍ以下になる。この離間寸法Ｈが９５ｍｍを超えると、一般の成人男性及び女性が容器本体１０を手にしたとき、人差し指及び中指が手のひらから遠く離れたように感じてポンプ２０の操作部２０を操作しづらくなるが、本実施形態のように９５ｍｍ以下とすることで、殆どの人が操作部を操作し易くなる。離間寸法Ｈを８５ｍｍ以下に設定することで、より一層操作性が向上する。
【００５０】
また、キャップ３０は、容器本体１０の上壁部１３と、ポンプ２０の操作部２２及びノズル部２３とを覆うように形成された樹脂製のものであり、上下方向に長くなっている。キャップ３０の周壁部３１は、上部へ行くほど水平方向の断面積が小さくなるように形成されている。図４に示すように、キャップ３０の周壁部３１の下端部には、凹条部１３ｂに対して容易に離脱可能に嵌合する凸条部３１ａが形成されている。
【００５１】
次に、上記のように構成されたポンプ付き容器１を使用する場合について説明する。使用者はキャップ３０を外してから図９に示すように容器本体１０を手で握るようにして持つ。このとき、容器本体１０の下側当接面１０ａに、手のひらにおける親指の中手骨に対応する部分を当て、さらに、親指当接面１０ｂに親指を当てるとともに、薬指及び小指当接面１０ｃに薬指及び小指を当てる。このようにして容器本体１０を持つことで、容器本体１０を少なくとも３箇所で握るようにして持つことが可能になるので握っているポンプ付き容器１が安定する。さらに、容器本体１０の奥行き方向の最大寸法が６０ｍｍ以下に設定されているので、容器本体１０が殆どの人の手のひらの中に収まるようになる。この状態で、容器本体１０の周壁部１２の広い範囲が手のひらに接触するので、ポンプ付き容器１がより一層安定する。
【００５２】
そして、人差し指を操作部２２の人差し指用載置２２ｃに置き、中指を中指用載置面２２ｄに置く。そして、人差し指及び中指によって操作部２２に対して下方に力を加えて操作部２２を押し動かすことで、容器本体１０の液体がノズル部２３から噴射される。この操作部２２を押し動かすときの反力は、主に、容器本体１０の下部において下側当接面１０ａを介して、手のひらにおける親指の中手骨に対応する部分で受けることになる。手のひらにおける親指の中手骨に対応する部分で反力を受けることで反力をしっかりと受け止めることが可能になるので、ポンプ２０の操作時においても容器本体１０は安定する。よって、ポンプ２０を操作し易くなる。また、人差し指及び中指でノズル部２３を挟むようにすることができ、ノズル部２３から指が外れるのも抑制される。
【００５３】
以上説明したように、この実施形態に係るポンプ付き容器１によれば、ポンプ付き容器１を安定して持つことができ、ポンプ２０の操作時には、人差し指と中指とで操作部２０を押し動かす際の反力を安定して受けることできる。これにより、ポンプ付き容器１を持ちやすくすることができるとともに、使用者によるポンプ２０の操作を容易にすることができる。
【００５４】
また、ポンプ２０の操作部２２における人差し指用載置面２２ｃ及び中指用載置面２２ｄと、下側当接面１０ａとの離間寸法を９５ｍｍ以下に設定したので、ポンプ２０の操作部２２をより一層操作し易くすることができる。
【００５５】
また、容器本体１０における親指当接面１０ｂと薬指及び小指当接面１０ｃとの離間寸法を７０ｍｍ以下に設定したので、容器をより一層持ちやすくすることができる。
【００５６】
尚、上記実施形態では、容器本体１０が左右対称形状とされているが、これに限らず、例えば、容器本体１０における左側の下部のように、右手で持ったときに右手に当たらない部分の形状は自由に設定することができ、一部を膨出させるようにしてもよい。
【００５７】
容器本体１０を左右対称形状にすることで、右利き及び左利きの両方で持ちやすくすることができるので好ましい。
【００５８】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５９】
以上説明したように、本発明に係るポンプ付き容器は、例えば鼻孔等に液体を噴射する場合に使用することができる。
【符号の説明】
【００６０】
１            ポンプ付き容器
１０          容器本体
１０ａ        下側当接面（第１当接面）
１０ｂ        親指当接面（第２当接面）
１０ｃ        薬指及び小指当接面（第３当接面）
２０          ポンプ
２２          操作部
２２ａ        左側突出部（第２突出部）
２２ｂ        右側突出部（第１突出部）
２２ｃ        人差し指用載置面（第１載置面）
２２ｄ        中指用載置面（第２載置面）
【図１】
0006375193.tif 000002
【図２】
0006375193.tif 000003
【図３】
0006375193.tif 000004
【図４】
0006375193.tif 000005
【図５】
0006375193.tif 000006
【図６】
0006375193.tif 000007
【図７】
0006375193.tif 000008
【図８】
0006375193.tif 000009
【図９】
0006375193.tif 000010